【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、
前記印刷制御装置は、
前記ブックデータに格納されたページデータのうち修正を必要とする要修正ページデータを特定する手段と、
前記特定された要修正ページデータおよび前記要修正ページデータを特定する情報を前記編集装置に送信する手段と、
前記編集装置にて修正が行われた修正済ページデータに対してラスタライズ処理を行う手段と、
前記要修正ページデータを特定する情報に基づいてラスタライズ処理が行われた前記修正済ページデータを前記印刷データに格納されている前記要修正ページデータと差し替える手段と、を有し、
前記編集装置は、
前記要修正ページデータを特定する情報に基づいて特定された要修正ページデータを編集する手段と、
前記要修正ページデータを編集して得られた前記修正済ページデータを前記印刷制御装置に送信するとき、前記修正済ページデータに前記要修正ページデータを特定する情報を添付する手段と、
を有することを特徴とする印刷システム。
【請求項２】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、
前記印刷制御装置が、
前記ブックデータに格納されたページデータのうち修正を必要とする要修正ページデータを特定する手段と、
前記特定された要修正ページデータおよび前記要修正ページデータを特定する情報を前記編集装置に送信する手段と、
前記編集装置にて前記要修正ページデータを特定する情報に基づいて修正が行われた修正済ページデータに対してラスタライズ処理を行う手段と、
前記要修正ページデータを特定する情報に基づいてラスタライズ処理が行われた前記修正済ページデータを前記印刷データに格納されている前記要修正ページデータと差し替える手段と、
を有することを特徴とする印刷制御装置。
【請求項３】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、
前記編集装置が、
前記印刷制御装置より送信されてきた要修正ページデータおよび要修正ページデータを特定する情報とを受信する受信手段と、
前記要修正ページデータを特定する情報に基づいて特定された要修正ページデータを編集する手段と、
前記要修正ページデータを編集して得られた前記修正済ページデータを前記印刷制御装置に送信するとき、前記修正済ページデータに前記要修正ページデータを特定する情報を添付する手段と、
を有することを特徴とする編集装置。
【請求項４】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、
前記印刷制御装置は、
前記ブックデータに追加ページデータを挿入する際の印刷時のページ位置を特定する手段と、
前記印刷時のページ位置を特定する情報を前記編集装置に送信する手段と、
前記編集装置にて作成された追加ページデータに対してラスタライズ処理を行う手段と、
前記印刷時のページ位置を特定する情報に基づいてラスタライズ処理が行われた前記追加ページデータを前記印刷データの特定された印刷時のページ位置に追加する手段と、を有し、
前記編集装置は、
前記印刷時のページ位置を特定する情報に基づいて追加ページデータを作成する手段と、
前記追加ページデータを前記印刷制御装置に送信するとき、前記追加ページデータに前記印刷時のページ位置を特定する情報を添付する手段と、
を有することを特徴とする印刷システム。
【請求項５】
複数のページデータからなるブックデータを作成・編集する編集装置と、前記ブックデータをラスタライズ処理して得られる印刷データを印刷機に送信する印刷制御装置と、前記印刷データに基づいて印刷を行う印刷機と、を備えた印刷システムにおいて、
前記印刷制御装置が、
前記ブックデータに追加ページデータを挿入する際の印刷時のページ位置を特定する手段と、
前記特定された印刷時のページ位置を特定する情報を前記編集装置に送信する手段と、
前記編集装置にて前記印刷時のページ位置を特定する情報に基づいて作成された追加ページデータに対してラスタライズ処理を行う手段と、
前記印刷時のページ位置を特定する情報に基づいてラスタライズ処理が行われた前記追加ページデータを前記印刷データの特定された印刷時のページ位置に追加する手段と、
を有することを特徴とする印刷制御装置。
【請求項６】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、
前記編集装置が、
前記印刷制御装置より送信されてきた印刷時のページ位置を特定する情報を受信する受信手段と、
前記印刷時のページ位置を特定する情報に基づいて追加ページデータを作成する手段と、
前記追加ページデータを前記印刷制御装置に送信するとき、前記編集装置は前記追加ページデータに前記印刷時のページ位置を特定する情報を添付する添付手段と、
を有することを特徴とする編集装置。
【請求項７】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおける印刷方法であって、
前記ブックデータに格納されたページデータのうち修正を必要とする要修正ページデータを特定する工程と、
前記特定された要修正ページデータおよび前記要修正ページデータを特定する情報を前記編集装置に送信する工程と、
前記要修正ページデータを特定する情報に基づいて特定された要修正ページデータを編集する工程と、
前記要修正ページデータを編集した結果得られた修正済ページデータに前記要修正ページデータを特定する情報を添付する工程と、
前記修正済ページデータに対してラスタライズ処理を行う工程と、
前記要修正ページデータを特定する情報に基づいてラスタライズ処理が行われた前記修正済ページデータを前記印刷データに格納されている前記要修正ページデータと差し替える工程と、
を有することを特徴とする印刷方法。
【請求項８】
複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおける印刷方法であって、
前記ブックデータに追加ページデータを挿入する際の印刷時のページ位置を特定する工程と、
前記特定された印刷時のページ位置を特定する情報を前記編集装置に送信する工程と、
前記印刷時のページ位置を特定する情報に基づいて追加ページデータを作成する工程と、
前記追加ページデータに前記印刷時のページ位置を特定する情報を添付する工程と、
前記追加ページデータに対してラスタライズ処理を行う手段と、
印刷時のページ位置を特定する情報に基づいてラスタライズ処理が行われた前記追加ページデータを前記印刷データの特定された印刷時のページ位置に追加する工程と、
を有することを特徴とする印刷方法。
【請求項９】
請求項２に記載の印刷制御装置を実現するためのプログラムを記録したコンピュータ読取可能な記録媒体。
【請求項１０】
請求項５に記載の印刷制御装置を実現するためのプログラムを記録したコンピュータ読取可能な記録媒体。
【請求項１１】
請求項２に記載の印刷制御装置を実現するためのプログラム。
【請求項１２】
請求項５に記載の印刷制御装置を実現するためのプログラム。
【請求項１３】
請求項３に記載の編集装置を実現するためのプログラムを記録したコンピュータ読取可能な記録媒体。
【請求項１４】
請求項６に記載の編集装置を実現するためのプログラムを記録したコンピュータ読取可能な記録媒体。
【請求項１５】
請求項３に記載の編集装置を実現するためのプログラム。
【請求項１６】
請求項６に記載の編集装置を実現するためのプログラム。
【手続補正２】
【補正対象書類名】明細書
【補正対象項目名】０００７
【補正方法】変更
【補正の内容】
【０００７】
【課題を解決するための手段】
かかる課題を解決する為に、請求項１に係わる発明は、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、前記印刷制御装置は、前記ブックデータに格納されたページデータのうち修正を必要とする要修正ページデータを特定する手段と、前記特定された要修正ページデータおよび前記要修正ページデータを特定する情報を前記編集装置に送信する手段と、前記編集装置にて修正が行われた修正済ページデータに対してラスタライズ処理を行う手段と、前記要修正ページデータを特定する情報に基づいてラスタライズ処理が行われた前記修正済ページデータを前記印刷データに格納されている前記要修正ページデータと差し替える手段と、を有し、前記編集装置は、前記要修正ページデータを特定する情報に基づいて特定された要修正ページデータを編集する手段と、前記要修正ページデータを編集して得られた前記修正済ページデータを前記印刷制御装置に送信するとき、前記修正済ページデータに前記要修正ページデータを特定する情報を添付する手段と、を有することを特徴としている。


【手続補正３】
【補正対象書類名】明細書
【補正対象項目名】０００８
【補正方法】変更
【補正の内容】
【０００８】
請求項１に記載の印刷システムは、印刷制御装置においてブックデータに格納されたページデータのうち修正を必要とする要修正ページデータを特定するとともに、該要修正ページデータを特定する情報を編集装置へ送信する。編集装置では要修正ページデータを特定する情報に基づいて要修正ページデータを編集し、修正済ページデータに要修正ページデータを特定する情報を添付して印刷制御装置に送信することにより、修正済ページデータのみが印刷制御装置においてラスタライズ処理され、印刷データに格納されている要修正ページデータとの差替が確実に行われる。これにより、修正すべきページデータを誤ることがなく、またブックデータ全てを再度ラスタライズ処理する必要はないので、印刷制御装置の資源とラスタライズ処理の時間を消費することがなく、印刷工程の効率化を実現することができる。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
更に請求項２に係る発明は、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、前記印刷制御装置が、前記ブックデータに格納されたページデータのうち修正を必要とする要修正ページデータを特定する手段と、前記特定された要修正ページデータおよび前記要修正ページデータを特定する情報を前記編集装置に送信する手段と、前記編集装置にて前記要修正ページデータを特定する情報に基づいて修正が行われた修正済ページデータに対してラスタライズ処理を行う手段と、前記要修正ページデータを特定する情報に基づいてラスタライズ処理が行われた前記修正済ページデータを前記印刷データに格納されている前記要修正ページデータと差し替える手段と、を有することを特徴としている。


【手続補正７】
【補正対象書類名】明細書
【補正対象項目名】００１２
【補正方法】変更
【補正の内容】
【００１２】
請求項２に記載の印刷制御装置は、ブックデータに格納されたページデータのうち修正を必要とする要修正ページデータを特定するとともに、該要修正ページデータを特定する情報を編集装置へ送信し、修正済ページデータのみが印刷制御装置においてラスタライズ処理され、前記要修正ページデータを特定する情報に基づいて印刷データに格納されている要修正ページデータと差し替えが行われる。これにより、修正すべきページデータを誤ることがなく、またブックデータ全てを再度ラスタライズ処理する必要はないので、印刷制御装置の資源とラスタライズ処理の時間を消費することがなく、印刷工程の効率化を実現することができる。


【手続補正８】
【補正対象書類名】明細書
【補正対象項目名】００１３
【補正方法】変更
【補正の内容】
【００１３】
また請求項３に係わる発明は、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、前記編集装置が、前記印刷制御装置より送信されてきた要修正ページデータおよび要修正ページデータを特定する情報とを受信する受信手段と、前記要修正ページデータを特定する情報に基づいて特定された要修正ページデータを編集する手段と、前記要修正ページデータを編集して得られた前記修正済ページデータを前記印刷制御装置に送信するとき、前記修正済ページデータに前記要修正ページデータを特定する情報を添付する手段と、を有することを特徴としている。


【手続補正９】
【補正対象書類名】明細書
【補正対象項目名】００１４
【補正方法】変更
【補正の内容】
【００１４】
請求項３に記載の編集装置は、印刷制御装置において特定された要修正ページデータと要修正ページを特定する情報とを受信し、該要修正ページデータを特定する情報に基づいて該要修正ページデータを編集する。修正済ページデータに要修正ページを特定する情報を添付して印刷制御装置に送信することにより、修正済ページデータのみが印刷制御装置においてラスタライズ処理され、印刷データに格納されている要修正ページデータと差し替えが行われる。これにより、修正すべきページデータを誤ることがなく、またブックデータ全てを再度ラスタライズ処理する必要はないので、印刷制御装置の資源とラスタライズ処理の時間を消費することがなく、印刷工程の効率化を実現することができる。


【手続補正１０】
【補正対象書類名】明細書
【補正対象項目名】００１５
【補正方法】変更
【補正の内容】
【００１５】
請求項４に係る発明では、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、前記印刷制御装置は、前記ブックデータに追加ページデータを挿入する際の印刷時のページ位置を特定する手段と、前記印刷時のページ位置を特定する情報を前記編集装置に送信する手段と、前記編集装置にて作成された追加ページデータに対してラスタライズ処理を行う手段と、前記印刷時のページ位置を特定する情報に基づいてラスタライズ処理が行われた前記追加ページデータを前記印刷データの特定された印刷時のページ位置に追加する手段と、を有し、前記編集装置は、前記印刷時のページ位置を特定する情報に基づいて追加ページデータを作成する手段と、前記追加ページデータを前記印刷制御装置に送信するとき、前記追加ページデータに前記印刷時のページ位置を特定する情報を添付する手段と、を有することを特徴としている。


【手続補正１１】
【補正対象書類名】明細書
【補正対象項目名】００１６
【補正方法】変更
【補正の内容】
【００１６】
請求項４に記載の印刷システムは、印刷制御装置においてブックデータに追加ページデータを挿入する際の印刷時のページ位置を特定し、該ページ位置を特定する情報を編集装置へ送信する。編集装置では前記印刷時のページ位置を特定する情報に基づいて追加ページデータを作成し、ブックデータのページ位置を特定する情報を添付して印刷制御装置に送信することにより、追加ページデータのみが印刷制御装置においてラスタライズ処理され、印刷データ内の特定されたページ位置に確実に挿入される。これにより、追加すべきページデータの挿入位置を誤ることがなく、またブックデータ全てを再度ラスタライズ処理する必要はないので、印刷制御装置の資源とラスタライズ処理の時間を消費することがなく、印刷工程の効率化を実現することができる。


【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
また、請求項５に係わる発明は、複数のページデータからなるブックデータを作成・編集する編集装置と、前記ブックデータをラスタライズ処理して得られる印刷データを印刷機に送信する印刷制御装置と、前記印刷データに基づいて印刷を行う印刷機と、を備えた印刷システムにおいて、前記印刷制御装置が、前記ブックデータに追加ページデータを挿入する際の印刷時のページ位置を特定する手段と、前記特定された印刷時のページ位置を特定する情報を前記編集装置に送信する手段と、前記編集装置にて前記印刷時のページ位置を特定する情報に基づいて作成された追加ページデータに対してラスタライズ処理を行う手段と、前記印刷時のページ位置を特定する情報に基づいてラスタライズ処理が行われた前記追加ページデータを前記印刷データの特定された印刷時のページ位置に追加する手段と、を有することを特徴としている。


【手続補正１５】
【補正対象書類名】明細書
【補正対象項目名】００２０
【補正方法】変更
【補正の内容】
【００２０】
請求項５に記載の印刷制御装置は、ブックデータに追加ページデータを挿入する際の印刷時のページ位置を特定し、該ページ位置を特定する情報を編集装置へ送信し、追加ページデータのみが印刷制御装置においてラスタライズ処理され、前記印刷時のページ位置を特定する情報に基づいて追加ページデータが印刷データ内の特定された印刷時のページ位置に挿入される。これにより、追加すべきページデータの挿入位置を誤ることがなく、またブックデータ全てを再度ラスタライズ処理する必要はないので、印刷制御装置の資源とラスタライズ処理の時間を消費することがなく、印刷工程の効率化を実現することができる。


【手続補正１６】
【補正対象書類名】明細書
【補正対象項目名】００２１
【補正方法】変更
【補正の内容】
【００２１】
また、請求項６に係わる発明は、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおいて、前記編集装置が、前記印刷制御装置より送信されてきた印刷時のページ位置を特定する情報を受信する受信手段と、前記印刷時のページ位置を特定する情報に基づいて追加ページデータを作成する手段と、前記追加ページデータを前記印刷制御装置に送信するとき、前記編集装置は前記追加ページデータに前記印刷時のページ位置を特定する情報を添付する添付手段と、を有することを特徴としている。


【手続補正１７】
【補正対象書類名】明細書
【補正対象項目名】００２２
【補正方法】変更
【補正の内容】
【００２２】
請求項６に記載の編集装置は、印刷制御装置から、ブックデータに追加ページデータを挿入する際の印刷時のページ位置を特定する情報を受信し、前記印刷時のページ位置を特定する情報に基づいて追加ページデータを作成する。追加ページデータに印刷時のページ位置を特定する情報を添付することにより、追加ページデータのみが印刷制御装置においてラスタライズ処理され、追加ページデータがブックデータにおける印刷時のページ位置を特定した位置に挿入される。これにより、追加すべきページデータの挿入位置を誤ることがなく、またブックデータ全てを再度ラスタライズ処理する必要はないので、印刷制御装置の資源とラスタライズ処理の時間を消費することがなく、印刷工程の効率化を実現することができる。


【手続補正１８】
【補正対象書類名】明細書
【補正対象項目名】００２３
【補正方法】変更
【補正の内容】
【００２３】
更に請求項７に係わる発明は、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおける印刷方法であって、前記ブックデータに格納されたページデータのうち修正を必要とする要修正ページデータを特定する工程と、前記特定された要修正ページデータおよび前記要修正ページデータを特定する情報を前記編集装置に送信する工程と、前記要修正ページデータを特定する情報に基づいて特定された要修正ページデータを編集する工程と、前記要修正ページデータを編集した結果得られた修正済ページデータに前記要修正ページデータを特定する情報を添付する工程と、前記修正済ページデータに対してラスタライズ処理を行う工程と、前記要修正ページデータを特定する情報に基づいてラスタライズ処理が行われた前記修正済ページデータを前記印刷データに格納されている前記要修正ページデータと差し替える工程と、を有することを特徴としている。


【手続補正１９】
【補正対象書類名】明細書
【補正対象項目名】００２４
【補正方法】変更
【補正の内容】
【００２４】
請求項７に記載の印刷方法は、印刷制御装置においてブックデータに格納されたページデータのうち修正を必要とする要修正ページデータを特定するとともに、該要修正ページデータを特定する情報を編集装置へ送信する。編集装置では前記要修正ページデータを特定する情報に基づいて特定された要修正ページデータを編集し、修正済ページデータのみが印刷制御装置においてラスタライズ処理され、前記要修正ページデータを特定する情報に基づいて印刷データに格納されている要修正ページデータと差し替えが行われる。これにより、修正すべきページデータを誤ることがなく、またブックデータ全てを再度ラスタライズ処理する必要はないので、印刷制御装置の資源とラスタライズ処理の時間を消費することがなく、印刷工程の効率化を実現することができる。


【手続補正２０】
【補正対象書類名】明細書
【補正対象項目名】００２５
【補正方法】変更
【補正の内容】
【００２５】
加えて請求項８に係わる発明は、複数のページデータからなるブックデータを作成・編集する編集装置と、前記ブックデータをラスタライズ処理して得られた印刷データを印刷機に送信する印刷制御装置と、前記印刷データに基づいて印刷を行う印刷機と、を備えた印刷システムにおける印刷方法であって、前記ブックデータに追加ページデータを挿入する際の印刷時のページ位置を特定する工程と、前記特定された印刷時のページ位置を特定する情報を前記編集装置に送信する工程と、前記印刷時のページ位置を特定する情報に基づいて追加ページデータを作成する工程と、前記追加ページデータに前記印刷時のページ位置を特定する情報を添付する工程と、前記追加ページデータに対してラスタライズ処理を行う手段と、印刷時のページ位置を特定する情報に基づいてラスタライズ処理が行われた前記追加ページデータを前記印刷データの特定された印刷時のページ位置に追加する工程と、を有することを特徴としている。


【手続補正２１】
【補正対象書類名】明細書
【補正対象項目名】００２６
【補正方法】変更
【補正の内容】
【００２６】
請求項８に記載の印刷方法は、印刷制御装置においてブックデータに追加ページデータを挿入する際の印刷時のページ位置を特定し、該ページ位置を特定する情報を編集装置へ送信する。編集装置では前記印刷時のページ位置を特定する情報に基づいて追加ページデータを作成し、追加ページデータのみが印刷制御装置においてラスタライズ処理され、前記印刷時のページ位置を特定する情報に基づいて追加ページデータが印刷データの特定されたページ位置に挿入される。これにより、追加すべきページデータの挿入位置を誤ることがなく、またブックデータ全てを再度ラスタライズ処理する必要はないので、印刷制御装置の資源とラスタライズ処理の時間を消費することがなく、印刷工程の効率化を実現することができる。


【手続補正２２】
【補正対象書類名】明細書
【補正対象項目名】００２７
【補正方法】変更
【補正の内容】
【００２７】
請求項９に係わる発明は、請求項２に記載の印刷制御装置を実現するためのプログラムを記録したコンピュータ読取可能な記録媒体である。


【手続補正２３】
【補正対象書類名】明細書
【補正対象項目名】００２８
【補正方法】変更
【補正の内容】
【００２８】
請求項９に記載の記録媒体は、請求項２に記載の印刷制御装置を実現するためのプログラムを記録したコンピュータ読取可能な記録媒体なので、コンピュータにおいて請求項２に記載の印刷制御装置を実現することができる。


【手続補正２４】
【補正対象書類名】明細書
【補正対象項目名】００２９
【補正方法】変更
【補正の内容】
【００２９】
請求項１０に係わる発明は、請求項５に記載の印刷制御装置を実現するためのプログラムを記録したコンピュータ読取可能な記録媒体である。


【手続補正２５】
【補正対象書類名】明細書
【補正対象項目名】００３０
【補正方法】変更
【補正の内容】
【００３０】
請求項１０に記載の記録媒体は、請求項５に記載の印刷制御装置を実現するためのプログラムを記録したコンピュータ読取可能な記録媒体なので、コンピュータにおいて請求項５に記載の印刷制御装置を実現することができる。


【手続補正２６】
【補正対象書類名】明細書
【補正対象項目名】００３１
【補正方法】変更
【補正の内容】
【００３１】
また、請求項１１に係わる発明は、請求項２に記載の印刷制御装置を実現するためのプログラムである。


【手続補正２７】
【補正対象書類名】明細書
【補正対象項目名】００３２
【補正方法】変更
【補正の内容】
【００３２】
請求項１１に記載のプログラムは、請求項２に記載の印刷制御装置を実現するためのプログラムなので、コンピュータにおいて請求項２に記載の印刷制御装置を実現することができる。


【手続補正２８】
【補正対象書類名】明細書
【補正対象項目名】００３３
【補正方法】変更
【補正の内容】
【００３３】
さらに、請求項１２に係わる発明は、請求項５に記載の印刷制御装置を実現するためのプログラムである。


【手続補正２９】
【補正対象書類名】明細書
【補正対象項目名】００３４
【補正方法】変更
【補正の内容】
【００３４】
請求項１２に記載のプログラムは、請求項５に記載の印刷制御装置を実現するためのプログラムなので、コンピュータにおいて請求項５に記載の印刷制御装置を実現することができる。


【手続補正３０】
【補正対象書類名】明細書
【補正対象項目名】００３５
【補正方法】変更
【補正の内容】
【００３５】
加えて請求項１３に係わる発明は、請求項３に記載の編集装置を実現するためのプログラムを記録したコンピュータ読取可能な記録媒体である。


【手続補正３１】
【補正対象書類名】明細書
【補正対象項目名】００３６
【補正方法】変更
【補正の内容】
【００３６】
請求項１３に記載の記録媒体は、請求項３に記載の編集装置を実現するためのプログラムを記録したコンピュータ読取可能な記録媒体なので、コンピュータにおいて請求項３に記載の編集装置を実現することができる。


【手続補正３２】
【補正対象書類名】明細書
【補正対象項目名】００３７
【補正方法】変更
【補正の内容】
【００３７】
また、請求項１４に係わる発明は、請求項６に記載の編集装置を実現するためのプログラムを記録したコンピュータ読取可能な記録媒体である。


【手続補正３３】
【補正対象書類名】明細書
【補正対象項目名】００３８
【補正方法】変更
【補正の内容】
【００３８】
請求項１４に記載の記録媒体は、請求項６に記載の編集装置を実現するためのプログラムを記録したコンピュータ読取可能な記録媒体なので、コンピュータにおいて請求項６に記載の編集装置を実現することができる。


【手続補正３４】
【補正対象書類名】明細書
【補正対象項目名】００３９
【補正方法】変更
【補正の内容】
【００３９】
さらに、請求項１５に係わる発明は、請求項３に記載の編集装置を実現するためのプログラムである。


【手続補正３５】
【補正対象書類名】明細書
【補正対象項目名】００４０
【補正方法】変更
【補正の内容】
【００４０】
請求項１５に記載のプログラムは、請求項３に記載の編集装置を実現するためのプログラムなので、コンピュータにおいて請求項３に記載の編集装置を実現することができる。


【手続補正３６】
【補正対象書類名】明細書
【補正対象項目名】００４１
【補正方法】変更
【補正の内容】
【００４１】
加えて請求項１６に係わる発明は、請求項６に記載の編集装置を実現するためのプログラムである。


【手続補正３７】
【補正対象書類名】明細書
【補正対象項目名】００４２
【補正方法】変更
【補正の内容】
【００４２】
請求項１６に記載のプログラムは、請求項６に記載の編集装置を実現するためのプログラムなので、コンピュータにおいて請求項６に記載の編集装置を実現することができる。


【手続補正３８】
【補正対象書類名】明細書
【補正対象項目名】００８９
【補正方法】変更
【補正の内容】
【００８９】
『ページデータＰＤ追加時』
ステップＳ６０１において、コントローラ１のオペレータが、ステップＳ４で行われた印刷結果に基づいて、追加を行うページを特定する。オペレータは、入力部１３を操作して、追加を所望するページ番号を指定する。その結果、ページ特定部１７２が、該指定されたページ番号をページ追加位置ＡＰとして特定する。